【手続補正書】
【提出日】平成20年12月8日(2008.12.8)
【手続補正１】
【補正対象書類名】特許請求の範囲
【補正対象項目名】全文
【補正方法】変更
【補正の内容】
【特許請求の範囲】
【請求項１】
クライアント／サーバコンピューティング環境において、クライアントコンピューティングデバイスにネットワークアドレスをセキュリティで保護された形で提供する方法であって、
前記クライアントコンピューティングデバイスが、ネットワークアドレスを要求するステップであって、前記クライアントコンピューティングデバイスが、自身をサーバコンピューティングデバイスに対して認証しようと試みることができることを示すステップを含む、要求するステップと、
前記サーバコンピューティングデバイスが、ネットワークアドレスを求める前記クライアントの要求を受信するステップと、
前記サーバコンピューティングデバイスが、前記クライアントコンピューティングデバイスにネットワークアドレスを提供することを提示するステップであって、前記クライアントコンピューティングデバイスが自身を前記サーバコンピューティングデバイスに対して認証するように要求するステップを含む、提示するステップと、
前記クライアントコンピューティングデバイスが、ネットワークアドレスに関する前記サーバの提示を受信するステップと、
前記クライアントコンピューティングデバイスを前記サーバコンピューティングデバイスに対して認証しようと試みるステップと、
前記クライアントコンピューティングデバイスが、前記クライアント／サーバコンピューティング環境におけるネットワークアドレスを受け取ることを許可されていると認証された場合、
前記サーバコンピューティングデバイスが、前記クライアント／サーバコンピューティング環境に適切であり、かつコンピューティングデバイスに現在割り当てられていないネットワークアドレスを、識別するステップと、
前記サーバコンピューティングデバイスが、前記識別されたネットワークアドレスを前記クライアントコンピューティングデバイスに割り当てるステップと、
前記サーバコンピューティングデバイスが、前記割り当てられたネットワークアドレスを前記クライアントコンピューティングデバイスに提供するステップと、
前記クライアントコンピューティングデバイスが、前記割り当てられたネットワークアドレスを受け取るステップと
を備えることを特徴とする方法。
【請求項２】
前記割り当てられたネットワークアドレスは、インターネットプロトコル（ＩＰ）アドレスであることを特徴とする請求項１に記載の方法。
【請求項３】
要求するステップは、動的ホスト構成プロトコル（ＤＨＣＰ）を使用するステップを含むことを特徴とする請求項１に記載の方法。
【請求項４】
認証しようと試みるステップは、拡張認証プロトコル（ＥＡＰ）を使用するステップを含むことを特徴とする請求項１に記載の方法。
【請求項５】
要求するステップは、ＤＨＣＰを使用するステップを含み、認証しようと試みるステップは、ＥＡＰを使用するステップを含み、ＥＡＰメッセージは、ＤＨＣＰオプションフィールドで伝送されることを特徴とする請求項１に記載の方法。
【請求項６】
認証しようと試みるステップは、前記クライアントコンピューティングデバイスによって開始されることを特徴とする請求項１に記載の方法。
【請求項７】
認証しようと試みるステップは、前記サーバコンピューティングデバイスによって開始されることを特徴とする請求項１に記載の方法。
【請求項８】
ネットワークアドレスを識別するステップは、前記クライアントコンピューティングデバイスが、前記クライアント／サーバコンピューティング環境におけるネットワークアドレスを受け取ることを許可されていると認証されない場合でも、実行されることを特徴とする請求項１に記載の方法。
【請求項９】
前記認証しようと試みる間に、前記クライアントコンピューティングデバイスが一時的ネットワークアドレスを使用するステップをさらに備えることを特徴とする請求項１に記載の方法。
【請求項１０】
前記一時的ネットワークアドレスは、制限された使用のために、前記サーバコンピューティングデバイスによって前記クライアントコンピューティングデバイスに割り当てられることを特徴とする請求項９に記載の方法。
【請求項１１】
前記クライアントコンピューティングデバイスが、前記クライアント／サーバコンピューティング環境におけるネットワークアドレスを受け取ることを許可されていると認証された場合、前記割り当てられたネットワークアドレスは、前記一時的ネットワークアドレスと同一であることを特徴とする請求項９に記載の方法。
【請求項１２】
クライアントコンピューティングデバイスが、ネットワークアドレスを要求するステップと、
サーバコンピューティングデバイスが、ネットワークアドレスを求める前記クライアントの要求を受信するステップと、
前記クライアントコンピューティングデバイスを前記サーバコンピューティングデバイスに対して認証しようと試みるステップと、
前記サーバコンピューティングデバイスを前記クライアントコンピューティングデバイスに対して認証しようと試みるステップと、
前記クライアントコンピューティングデバイスが、クライアント／サーバコンピューティング環境におけるネットワークアドレスを受け取ることを許可されていると認証され、前記サーバコンピューティングデバイスが、前記クライアント／サーバコンピューティング環境におけるネットワークアドレスを提供することを許可されていると認証された場合、
前記サーバコンピューティングデバイスが、前記クライアント／サーバコンピューティング環境に適切であり、かつコンピューティングデバイスに現在割り当てられていないネットワークアドレスを、識別するステップと、
前記サーバコンピューティングデバイスが、前記識別されたネットワークアドレスを前記クライアントコンピューティングデバイスに割り当てるステップと、
前記サーバコンピューティングデバイスが、前記割り当てられたネットワークアドレスを前記クライアントコンピューティングデバイスに提供するステップと、
前記クライアントコンピューティングデバイスが、前記割り当てられたネットワークアドレスを受け取るステップと
を含む、前記クライアントコンピューティングデバイスに前記ネットワークアドレスをセキュリティで保護された形で提供するための方法を、前記クライアント／サーバコンピューティング環境において実行するためのコンピュータ実行可能命令を有することを特徴とするコンピュータ記録媒体。
【請求項１３】
クライアント／サーバコンピューティング環境において、サーバコンピューティングデバイスがクライアントコンピューティングデバイスにネットワークアドレスをセキュリティで保護された形で提供する方法であって、
ネットワークアドレスを求めるクライアントの要求を受信するステップと、
前記クライアントコンピューティングデバイスを前記サーバコンピューティングデバイスに対して認証しようと試みるステップと、
前記サーバコンピューティングデバイスを前記クライアントコンピューティングデバイスに対して認証しようと試みるステップと、
前記クライアントコンピューティングデバイスが、前記クライアント／サーバコンピューティング環境におけるネットワークアドレスを受け取ることを許可されていると認証され、前記サーバコンピューティングデバイスが、前記クライアント／サーバコンピューティング環境におけるネットワークアドレスを提供することを許可されていると認証された場合、
前記クライアント／サーバコンピューティング環境に適切であり、コンピューティングデバイスに現在割り当てられていないネットワークアドレスを識別するステップと、
前記識別されたネットワークアドレスを前記クライアントコンピューティングデバイスに割り当てるステップと、
前記割り当てられたネットワークアドレスを前記クライアントコンピューティングデバイスに提供するステップと
を備えることを特徴とする方法。
【請求項１４】
前記割り当てられたネットワークアドレスは、ＩＰアドレスであることを特徴とする請求項１３に記載の方法。
【請求項１５】
認証しようと試みるステップは、ＥＡＰを使用するステップを含むことを特徴とする請求項１３に記載の方法。
【請求項１６】
ＥＡＰメッセージは、ＤＨＣＰオプションフィールドで伝送されることを特徴とする請求項１５に記載の方法。
【請求項１７】
認証しようと試みるステップは、前記サーバコンピューティングデバイスによって開始されることを特徴とする請求項１３に記載の方法。
【請求項１８】
ネットワークアドレスを識別するステップは、前記クライアントコンピューティングデバイスが、前記クライアント／サーバコンピューティング環境におけるネットワークアドレスを受け取ることを許可されていると認証されない場合でも、実行されることを特徴とする請求項１３に記載の方法。
【請求項１９】
前記認証しようと試みる間に使用するために、前記クライアントコンピューティングデバイスに一時的ネットワークアドレスを割り当てるステップをさらに備えることを特徴とする請求項１３に記載の方法。
【請求項２０】
前記クライアントコンピューティングデバイスが、前記クライアント／サーバコンピューティング環境におけるネットワークアドレスを受け取ることを許可されていると認証された場合、前記割り当てられたネットワークアドレスは、前記一時的ネットワークアドレスと同一であることを特徴とする請求項１９に記載の方法。
【請求項２１】
ネットワークアドレスを求めるクライアントの要求を受信するステップであって、クライアントコンピューティングデバイスが自身をサーバコンピューティングデバイスに対して認証しようと試みることができることを示すステップを含む、受信するステップと、
前記クライアントコンピューティングデバイスにネットワークアドレスを提供することを提示するステップであって、前記クライアントコンピューティングデバイスが自身を前記サーバコンピューティングデバイスに対して認証するように要求するステップを含む、提示するステップと、
前記クライアントコンピューティングデバイスを前記サーバコンピューティングデバイスに対して認証しようと試みるステップと、
前記クライアントコンピューティングデバイスが、前記クライアント／サーバコンピューティング環境におけるネットワークアドレスを受け取ることを許可されていると認証された場合、
前記クライアント／サーバコンピューティング環境に適切であり、かつコンピューティングデバイスに現在割り当てられていないネットワークアドレスを識別するステップと、
前記識別されたネットワークアドレスを前記クライアントコンピューティングデバイスに割り当てるステップと、
前記割り当てられたネットワークアドレスを前記クライアントコンピューティングデバイスに提供するステップと
を備える、前記サーバコンピューティングデバイスが前記クライアントコンピューティングデバイスに前記ネットワークアドレスをセキュリティで保護された形で提供する方法を、クライアント／サーバコンピューティング環境において実行するためのコンピュータ実行可能命令を有することを特徴とするコンピュータ記録媒体。
【請求項２２】
クライアント／サーバコンピューティング環境において、クライアントコンピューティングデバイスがネットワークアドレスをセキュリティ保護する方法であって、
ネットワークアドレスを要求するステップであって、前記クライアントコンピューティングデバイスが、自身をサーバコンピューティングデバイスに対して認証しようと試みることができることを示すステップを含む、要求するステップと、
前記クライアントコンピューティングデバイスが、前記サーバコンピューティングデバイスから、前記クライアントコンピューティングデバイスが自身を前記サーバコンピューティングデバイスに対して認証するよう求める要求を含むネットワークアドレスに関する提示を受け取るステップと、
前記クライアントコンピューティングデバイスをサーバコンピューティングデバイスに対して認証しようと試みるステップと、
前記クライアントコンピューティングデバイスが、前記クライアント／サーバコンピューティング環境におけるネットワークアドレスを受け取ることを許可されていると認証された場合、割り当てられたネットワークアドレスを受け取るステップと
を備えることを特徴とする方法。
【請求項２３】
前記割り当てられたネットワークアドレスは、ＩＰアドレスであることを特徴とする請求項２２に記載の方法。
【請求項２４】
要求するステップは、ＤＨＣＰを使用するステップを含むことを特徴とする請求項２２に記載の方法。
【請求項２５】
認証しようと試みるステップは、ＥＡＰを使用するステップを含むことを特徴とする請求項２２に記載の方法。
【請求項２６】
要求するステップは、ＤＨＣＰを使用するステップを含み、認証しようと試みるステップは、ＥＡＰを使用するステップを含み、ＥＡＰメッセージは、ＤＨＣＰオプションフィールドで伝送されることを特徴とする請求項２２に記載の方法。
【請求項２７】
認証しようと試みるステップは、前記クライアントコンピューティングデバイスによって開始されることを特徴とする請求項２２に記載の方法。
【請求項２８】
前記認証しようと試みる間に、前記クライアントコンピューティングデバイスが一時的ネットワークアドレスを使用するステップをさらに備えることを特徴とする請求項２２に記載の方法。
【請求項２９】
前記クライアントコンピューティングデバイスが、前記クライアント／サーバコンピューティング環境におけるネットワークアドレスを受け取ることを許可されていると認証された場合、前記割り当てられたネットワークアドレスは、前記一時的ネットワークアドレスと同一であることを特徴とする請求項２８に記載の方法。
【請求項３０】
ネットワークアドレスを要求するステップと、
クライアントコンピューティングデバイスをサーバコンピューティングデバイスに対して認証しようと試みるステップと、
前記サーバコンピューティングデバイスを前記クライアントコンピューティングデバイスに対して認証しようと試みるステップと、
前記クライアントコンピューティングデバイスが、前記クライアント／サーバコンピューティング環境におけるネットワークアドレスを受け取ることを許可されていると認証され、前記サーバコンピューティングデバイスが、前記クライアント／サーバコンピューティング環境におけるネットワークアドレスを提供することを許可されていると認証された場合、割り当てられたネットワークアドレスを受け取るステップと
を備える、前記クライアントコンピューティングデバイスが前記ネットワークアドレスをセキュリティ保護する方法を、前記クライアント／サーバコンピューティング環境において実行するためのコンピュータ実行可能命令を有することを特徴とするコンピュータ記録媒体。
【請求項３１】
クライアント／サーバコンピューティング環境において、クライアントコンピューティングデバイスにネットワークアドレスをセキュリティで保護された形で提供するためのシステムであって、
ネットワークアドレスを要求し、前記クライアントコンピューティングデバイスをサーバコンピューティングデバイスに対して認証しようと試み、前記サーバコンピューティングデバイスを前記クライアントコンピューティングデバイスに対して認証しようと試み、前記クライアントコンピューティングデバイスが、前記クライアント／サーバコンピューティング環境におけるネットワークアドレスを受け取ることを許可されていると認証され、かつ前記サーバコンピューティングデバイスが、前記クライアント／サーバコンピューティング環境におけるネットワークアドレスを提供することを許可されていると認証された場合、割り当てられたネットワークアドレスを受け取るように構成された、前記クライアントコンピューティングデバイスと、
ネットワークアドレスを求める前記クライアントの要求を受信し、前記クライアントコンピューティングデバイスを前記サーバコンピューティングデバイスに対して認証しようと試み、前記サーバコンピューティングデバイスを前記クライアントコンピューティングデバイスに対して認証しようと試み、前記クライアントコンピューティングデバイスが、前記クライアント／サーバコンピューティング環境におけるネットワークアドレスを受け取ることを許可されていると認証され、かつ前記サーバコンピューティングデバイスが、前記クライアント／サーバコンピューティング環境におけるネットワークアドレスを提供することを許可されていると認証された場合、前記クライアント／サーバコンピューティング環境に適切でコンピューティングデバイスに現在割り当てられていないネットワークアドレスを識別し、前記識別されたネットワークアドレスを前記クライアントコンピューティングデバイスに割り当て、前記割り当てられたネットワークアドレスを前記クライアントコンピューティングデバイスに提供するように構成された、前記サーバコンピューティングデバイスと
を備えることを特徴とするシステム。
【請求項３２】
前記割り当てられたネットワークアドレスは、ＩＰアドレスであることを特徴とする請求項３１に記載のシステム。
【請求項３３】
クライアント／サーバコンピューティング環境においてクライアントコンピューティングデバイスにＩＰネットワークアドレスをセキュリティで保護された形で提供するシステムを提供する、コンピュータ実行可能命令を有するコンピュータ記録媒体であって、
前記システムは、前記クライアントコンピューティングデバイスとサーバコンピューティングデバイスとを備え、
前記クライアントコンピューティングデバイスは、
前記クライアントコンピューティングデバイスが自身を前記サーバコンピューティングデバイスに対して認証しようと試みることができることを示すＥＡＰ機能メッセージを含む、第１のＤＨＣＰオプションの部分を備えたＤＨＣＰＤＩＳＣＯＶＥＲメッセージであって、ＩＰアドレスを提供することができるサーバのアイデンティティを要求する前記ＤＨＣＰＤＩＳＣＯＶＥＲメッセージを送信し、
前記クライアントコンピューティングデバイスの前記アイデンティティを要求するＥＡＰアイデンティティ要求メッセージを含む、第２のＤＨＣＰオプションの部分を備えた第１のＤＨＣＰＯＦＦＥＲメッセージであって、ＩＰアドレスを提供することを提示する前記第１のＤＨＣＰＯＦＦＥＲメッセージを、前記サーバコンピューティングデバイスから受信し、
前記クライアントの前記アイデンティティを包含するＥＡＰアイデンティティ応答メッセージを含む、第３のＤＨＣＰオプションの部分を備えたＤＨＣＰＲＥＱＵＥＳＴメッセージであって、ＩＰアドレスを要求する前記ＤＨＣＰＲＥＱＵＥＳＴメッセージを送信し、
前記クライアントが自身を前記サーバコンピューティングに対して認証するよう要求するＥＡＰ要求メッセージを含む、第４のＤＨＣＰオプションの部分を備えた第２のＤＨＣＰＯＦＦＥＲメッセージであって、ＩＰアドレスを提供するために提示する前記第２のＤＨＣＰＯＦＦＥＲメッセージを、前記サーバコンピューティングデバイスから受信し、
ＥＡＰセッションを通じて、前記クライアントコンピューティングデバイスを前記サーバコンピューティングデバイスに対して認証しようと試み、
前記クライアントコンピューティングデバイスが、前記クライアント／サーバコンピューティング環境におけるＩＰアドレスを受け取ることを許可されていると認証された場合、割り当てられたＩＰアドレスを受け取る
ように構成され、
前記サーバコンピューティングデバイスは、
前記ＤＨＣＰＤＩＳＣＯＶＥＲメッセージを受信し、
前記第１のＤＨＣＰＯＦＦＥＲメッセージを送信し、
前記ＤＨＣＰＲＥＱＵＥＳＴメッセージを受信し、
前記第２のＤＨＣＰＯＦＦＥＲメッセージを送信し、
ＥＡＰセッションを通じて、前記クライアントコンピューティングデバイスを前記サーバコンピューティングデバイスに対して認証しようと試み、
前記クライアントコンピューティングデバイスが、前記クライアント／サーバコンピューティング環境におけるＩＰアドレスを受け取ることを許可されていると認証された場合、
前記クライアント／サーバコンピューティング環境に適切であり、かつコンピューティングデバイスに現在割り当てられていないＩＰアドレスを識別し、
前記識別されたＩＰアドレスを前記クライアントコンピューティングデバイスに割り当て、
前記割り当てられたＩＰアドレスを前記クライアントコンピューティングデバイスに提供する
ように構成されることを特徴とする、コンピュータ記録媒体。